(57)【要約】【課題】ディスク媒体からマルチアクセスによるマルチチャンネル再生によって音楽や映像を再生する場合に、外部機器の対象者にとっては外部機器からの音声や画像を確実に認識でき、外部機器の非対象者にとっては音楽や映像の鑑賞が妨げられないようにする。【解決手段】車載用の音楽再生システムでは、ユーザー端末８１〜８４からのアクセスによってディスク再生装置１０で得られたチャンネル１〜４の再生音楽信号を、送受信部４０からユーザー端末８１〜８４に送信する。車内のカーナビゲーション装置６０またはハンズフリーフォン７０から音声信号の出力要求があった場合、システムコントローラ５１は送受信部４０に、チャンネル１の再生音楽信号に代えて、カーナビゲーション装置６０からの音声ガイダンスの音声信号Ａｃまたはハンズフリーフォン７０からの呼び出し音や受話音声の音声信号Ａｈを出力させる。【選択図】図３
2005259187.tif 000002
【特許請求の範囲】
【請求項１】
データが記録されているディスク媒体にチャンネルごとにアクセスして、前記ディスク媒体から各チャンネルのデータを再生し、各チャンネルの再生信号として出力するに当たって、外部機器から信号出力要求があったとき、その外部機器からの信号を、あらかじめ設定されたチャンネルの出力信号として、そのチャンネルの前記再生信号に割り込ませて出力する信号出力方法。
【請求項２】
請求項１の信号出力方法において、
一つまたは複数の外部機器から同一チャンネルに対して同時に複数の信号出力要求があったとき、あらかじめ設定された優先順位の高い方の信号を、そのチャンネルの出力信号として出力する信号出力方法。
【請求項３】
データが記録されているディスク媒体にチャンネルごとにアクセスして、前記ディスク媒体から各チャンネルのデータを読み取るメカデッキ部と、
その読み取られた各チャンネルのデータを処理して、各チャンネルの再生信号を得る再生処理部と、
その各チャンネルの再生信号を出力する信号出力部と、
前記メカデッキ部、前記再生処理部および前記信号出力部を制御する制御部とを備え、
その制御部は、外部機器から信号出力要求があったとき、その外部機器からの信号を、あらかじめ設定されたチャンネルの出力信号として、そのチャンネルの前記再生信号に割り込ませて前記信号出力部から出力させるディスク再生装置。
【請求項４】
請求項３のディスク再生装置において、
前記制御部は、一つまたは複数の外部機器から同一チャンネルに対して同時に複数の信号出力要求があったとき、あらかじめ設定された優先順位の高い方の信号を、そのチャンネルの出力信号として前記信号出力部から出力させるディスク再生装置。
【請求項５】
請求項３または４のディスク再生装置と、その前記信号出力部から出力された出力信号を受信するユーザー端末とを備えるディスク再生システム。
【請求項６】
請求項３または４のディスク再生装置と、このディスク再生装置に信号出力要求をする外部機器とからなるディスク再生システム。
【発明の詳細な説明】
【技術分野】
【０００１】
この発明は、音楽データや映像データなどのデータが記録されているディスク媒体にチャンネルごとにアクセスして、ディスク媒体から各チャンネルの信号を再生する装置およびシステム、および、そのディスク再生装置における信号出力方法に関する。
【背景技術】
【０００２】
ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスク、Ｍｉｎｉ−Ｄｉｓｃ（登録商標）などの光磁気ディスク、または磁気ディスクなどのディスク媒体は、ランダムアクセスおよびマルチアクセスが可能である。
【０００３】
特許文献１（特開平１０−２９３９９０号公報）には、マルチアクセスを、ディスク媒体の異なる領域に対して同時に記録や再生を行うこととして、ハードディスクのある領域にデータを書き込む処理と別の領域からデータを読み出す処理とを同時に行うことが示されている。
【０００４】
また、特許文献２（特開２０００−２７８６４７号公報）には、複数のハードディスクを備えるマルチチャンネルＡＶ（Ａｕｄｉｏ  ａｎｄ  Ｖｉｓｕａｌ）サーバにおいて、画像再生要求があったとき、要求のあった再生速度に対応した部分の画像データを読み出して、バッファメモリに記憶し、バッファメモリから読み出して、再生画像を構成することによって、再生速度の変更が要求された場合に、その要求に即座に応じることが示されている。
【０００５】
しかし、このような記録と再生を同時に行うマルチアクセスや、複数のハードディスクを用いるマルチチャンネル化ではなく、複数のユーザーが、多数の曲や映像タイトルが収録された１枚のディスク媒体に同時にアクセスして、各自の希望する曲や映像タイトルを再生し、鑑賞することが考えられる。
【０００６】
このようなディスク再生システムは、車載用の音楽再生システムや家庭用の映像再生システムなどとして構成することができ、車内で各ユーザーが各自の希望する曲を聴き、住居内の各部屋で各ユーザーが各自の希望する映像タイトルを鑑賞する、などの用途に使用することができる。
【０００７】
上に挙げた先行技術文献は、以下の通りである。
【特許文献１】特開平１０−２９３９９０号公報
【特許文献２】特開２０００−２７８６４７号公報
【発明の開示】
【発明が解決しようとする課題】
【０００８】
しかし、上記のようなディスク再生システムの近辺には、ディスク再生システム以外に音や画像を出力する機器が設置されることがある。例えば、車載用の音楽再生システムの場合、車内にカーナビゲーション装置が設置されて、これから音声ガイダンスが出力され、または、車内にハンズフリーフォンなどの携帯電話機が持ち込まれて、これから呼び出し音や受話音声が出力されることがある。
【０００９】
この場合、その外部機器からの信号をディスク再生システムの全てのチャンネルから出力させると、関係ないユーザーにとっては、ディスクからの再生信号が中断されてしまう。
【００１０】
具体的に、車載用の音楽再生システムでは、カーナビゲーション装置からの音声ガイダンスは、運転者のみが聞くことができればよいが、これが音楽再生システムの全てのチャンネルから出力されると、他のユーザーにとっては、音楽が中断されてしまい、携帯電話機からの呼び出し音や受話音声も、対象者のみが聞くことができればよいが、これが音楽再生システムの全てのチャンネルから出力されると、他のユーザーにとっては、音楽が中断されてしまう。
【００１１】
そこで、この発明は、ディスク媒体からマルチアクセスによるマルチチャンネル再生によって音楽データや映像データなどのデータを再生する場合に、上記のような不具合を来たすことがないようにしたものである。
【課題を解決するための手段】
【００１２】
この発明の信号出力方法は、
データが記録されているディスク媒体にチャンネルごとにアクセスして、前記ディスク媒体から各チャンネルのデータを再生し、各チャンネルの再生信号として出力するに当たって、外部機器から信号出力要求があったとき、その外部機器からの信号を、あらかじめ設定されたチャンネルの出力信号として、そのチャンネルの前記再生信号に割り込ませて出力するものである。
【００１３】
上記の、この発明の信号出力方法では、例えば、車載用の音楽再生システムの場合、カーナビゲーション装置からの音声ガイダンスは、例えば、運転者のチャンネルの出力信号として、運転者のチャンネルのディスク再生信号に割り込んで出力されるので、他のユーザーにとって、音楽が中断されてしまうことがなく、携帯電話機からの呼び出し音や受話音声も、対象者のチャンネルの出力信号として、対象者のチャンネルのディスク再生信号に割り込んで出力されるので、他のユーザーにとって、音楽が中断されてしまうことがない。
【発明の効果】
【００１４】
以上のように、この発明によれば、ディスク媒体からマルチアクセスによるマルチチャンネル再生によって音楽データや映像データなどのデータを再生する場合に、外部機器からの信号を出力するために、対象外の者にとって、音楽や映像などの鑑賞が妨げられることがない。
【発明を実施するための最良の形態】
【００１５】
〔ディスク再生システムおよびディスク再生装置の一例：図１〜図３〕
図１に、この発明のディスク再生システムの一例の、車載用の音楽再生システムが、車内に設けられた状態を示す。
【００１６】
この例では、車の前方座席の前方に、ディスク再生装置１０が設置される。ディスク再生装置１０は、この例では、多数の曲の音楽データが記録されているＣＤやＤＶＤなどの光ディスクに、運転席Ｓ１のユーザー（運転者）Ｕ１、助手席Ｓ２のユーザーＵ２、右後部座席Ｓ３のユーザーＵ３、および左後部座席Ｓ４のユーザーＵ４の、チャンネル（ユーザー）ごとにアクセスすることによって、各チャンネルの音楽データが再生されるものである。
【００１７】
ユーザーＵ１用のチャンネル１の再生信号は、ディスク再生装置１０からユーザー端末８１に送信され、ユーザー端末８１から前方座席の左右に設けられたスピーカ９６Ｌおよび９６Ｒに供給される。これによって、ユーザーＵ１は、希望する曲を聴くことができる。ユーザーＵ２，Ｕ３，Ｕ４用のチャンネル２，３，４の再生信号は、それぞれディスク再生装置１０からユーザー端末８２，８３，８４に送信され、ユーザーＵ２，Ｕ３，Ｕ４は、それぞれユーザー端末８２，８３，８４にヘッドフォン９７やイヤフォンを接続することによって、各自の希望する曲を聴くことができる。
【００１８】
さらに、運転席Ｓ１の前方には、カーナビゲーション装置６０が設置され、ユーザーＵ１は、そのディスプレイ６９上に表示された地図を見ることができ、後述のように、その音声ガイダンスを聴くことができる。
【００１９】
さらに、運転席Ｓ１と助手席Ｓ２との間には、ユーザーＵ１用のハンズフリーフォン７０が設置され、ユーザーＵ１は、車の運転に支障のない状態で、呼び出し音に応答して、携帯電話の通話をすることができる。送話用のマイクロフォン７９は、運転席Ｓ１の前方に設けられる。
【００２０】
図２および図３は、上記の例のディスク再生システム、すなわち車載用の音楽再生システムの機能構成を示す。
【００２１】
ディスク再生装置１０のメカデッキ部２０では、ロードされた光ディスク１が、スピンドルモータ２１によって回転駆動される。光ヘッド（光ピックアップ）２３は、スレッド２５に取り付けられ、スレッドモータ２６によって、スレッド軸２７に沿って、光ディスク１の径方向に移動させられる。
【００２２】
光ヘッド２３の読み取り出力は、ＲＦアンプ３１に供給され、ＲＦアンプ３１から、フォーカスエラー信号、トラッキングエラー信号および記録データが得られる。
【００２３】
そのフォーカスエラー信号およびトラッキングエラー信号は、サーボコントローラ２９に供給され、サーボコントローラ２９からのフォーカスサーボ制御信号およびトラッキングサーボ制御信号によって、光ヘッド２３のフォーカシングおよびトラッキングが制御される。
【００２４】
記録データは、復調回路３２で復調され、エラー訂正される。記録データとしては、光ディスク１に記録されているアドレス情報や、ＴＯＣ（Ｔａｂｌｅ  Ｏｆ  Ｃｏｎｔｅｎｔｓ）などのコンテンツ管理情報、および音楽データ（曲データ）が得られる。
【００２５】
そのアドレス情報およびコンテンツ管理情報は、システムコントローラ５１に取り込まれ、サーボコントローラ２９によるスピンドルモータ２１およびスレッドモータ２６の駆動制御による光ディスク１へのアクセスに用いられる。
【００２６】
復調回路３２からの音楽データは、チャンネル分割回路３３で、最大４チャンネルの範囲内で、そのときの光ディスク１へのアクセスチャンネル数分に分割される。
【００２７】
分割されたチャンネル１，２，３，４の音楽データは、バッファメモリ３４１，３４２，３４３，３４４に蓄積された後、バッファメモリ３４１，３４２，３４３，３４４から読み出されて、デコーダ３５１，３５２，３５３，３５４でデコードされ、最大４チャンネルの再生信号が得られる。各チャンネルの再生信号は、送受信部４０から各チャンネルのユーザー端末８１，８２，８３，８４に送信される。
【００２８】
バッファメモリ３４１，３４２，３４３，３４４としては、あらかじめ４チャンネル分が用意され、または、ＤＲＡＭ（Ｄｙｎａｍｉｃ  ＲＡＭ）などのメモリ上に、そのときのアクセスチャンネル数分のバッファメモリが設定される。
【００２９】
ディスク再生装置１０のシステムコントローラ５１は、図では省略したが、ＣＰＵ、このＣＰＵが実行する後述の信号出力処理ルーチンなどの各種プログラムおよび必要な固定データが記録されたＲＯＭ、およびプログラムやデータが展開されるＲＡＭによって、コンピュータとして構成される。
【００３０】
システムコントローラ５１には、操作部５３、記憶部５５および表示部５７が接続される。記憶部５５は、ＲＯＭやフラッシュメモリなどの不揮発性メモリによって構成され、ユーザーは、あらかじめ、操作部５３での操作によって、カーナビゲーション装置６０およびハンズフリーフォン７０と、カーナビゲーション装置６０からの音声ガイダンスおよびハンズフリーフォン７０からの呼び出し音や受話音声の信号を出力するチャンネルとの対応関係や、これら外部機器から同一チャンネルに対して同時に複数の信号出力要求があった場合の優先順位を、記憶部５５に設定する。
【００３１】
カーナビゲーション装置６０は、制御部６１および音声出力部６３を有し、その制御部６１がディスク再生装置１０のシステムコントローラ５１に接続され、音声出力部６３がディスク再生装置１０の送受信部４０に接続される。
【００３２】
また、ハンズフリーフォン７０は、制御部７１および音声出力部７３を有し、その制御部７１がディスク再生装置１０のシステムコントローラ５１に接続され、音声出力部７３がディスク再生装置１０の送受信部４０に接続される。
【００３３】
この例では、カーナビゲーション装置６０の音声出力部６３からの音声ガイダンスの音声信号Ａｃ、およびハンズフリーフォン７０の音声出力部７３からの呼び出し音や受話音声の音声信号Ａｈが、ディスク再生装置１０の送受信部４０で、ユーザーＵ１用のチャンネル１の再生音楽信号に代えて、チャンネル１の出力音声信号Ａ１として選択される。
【００３４】
そして、ディスク再生装置１０とユーザー端末８１，８２，８３，８４との間の有線または無線の通信によって、ディスク再生装置１０の送受信部４０からユーザー端末８１，８２，８３，８４に、チャンネル１，２，３，４の出力音声信号Ａ１，Ａ２，Ａ３，Ａ４が送信される。この例では、チャンネル２，３，４の出力音声信号Ａ２，Ａ３，Ａ４は、光ディスク１から再生された音楽信号である。
【００３５】
ユーザー端末８１，８２，８３，８４では、それぞれ、その送信された出力音声信号Ａ１，Ａ２，Ａ３，Ａ４が、送受信部９１で受信され、再生処理部９２で処理されて、再生処理部９２から音声信号が得られる。
【００３６】
この例では、ユーザー端末８１の再生処理部９２からは、光ディスク１から再生された音楽信号、またはカーナビゲーション装置６０からの音声信号Ａｃもしくはハンズフリーフォン７０からの音声信号Ａｈが出力され、ユーザー端末８２，８３，８４の再生処理部９２からは、光ディスク１から再生された音楽信号が出力される。
【００３７】
ユーザー端末８１の再生処理部９２には、スピーカ９６Ｌおよび９６Ｒが接続され、ユーザー端末８２，８３，８４の再生処理部９２には、それぞれヘッドフォン９７またはイヤフォンが接続される。
【００３８】
ユーザー端末８１，８２，８３，８４は、それぞれ、送受信部９１および再生処理部９２のほかに、端末コントローラ９３、操作部９４および表示部９５を備える。各ユーザーは、対応するユーザー端末の操作部９４で、光ディスク１へのアクセス要求などの操作を行う。
【００３９】
操作部９４での操作によるコマンドは、端末コントローラ９３から送受信部９１に送られ、送受信部９１によってディスク再生装置１０に送信される。ディスク再生装置１０では、その送信されたコマンドが、送受信部４０で受信され、システムコントローラ５１に取り込まれて、光ディスク１へのアクセスなどが実行される。
【００４０】
〔マルチチャンネル再生および信号出力方法：図４〜図７〕
上述したディスク再生システムでは、光ディスク１へのマルチアクセスによる、光ディスク１のマルチチャンネル再生が、以下のように実行される。
【００４１】
例えば、ユーザーＵ１，Ｕ２，Ｕ３が、それぞれ曲Ｍ１，Ｍ２，Ｍ３を聴こうとして、光ディスク１にほぼ同時にアクセスした場合、ディスク再生装置１０では、図４に示すように、まず、光ヘッド２３を光ディスク１上の曲Ｍ１の先頭位置に移動させ、曲Ｍ１の最初の部分Ｍ１ａのデータを読み取って、チャンネル１のバッファメモリ３４１に書き込む。
【００４２】
次に、矢印Ｓ１２で示すように、光ヘッド２３を曲Ｍ２の先頭位置まで移動させ、曲Ｍ２の最初の部分Ｍ２ａのデータを読み取って、チャンネル２のバッファメモリ３４２に書き込み、次に、矢印Ｓ２３で示すように、光ヘッド２３を曲Ｍ３の先頭位置まで移動させ、曲Ｍ３の最初の部分Ｍ３ａのデータを読み取って、チャンネル３のバッファメモリ３４３に書き込む。
【００４３】
次に、曲Ｍ１に戻って、光ヘッド２３を曲Ｍ１の次の部分Ｍ１ｂに移動させ、その部分Ｍ１ｂのデータを読み取って、バッファメモリ３４１に書き込む。以後、同様である。
【００４４】
図５（同図の「ｃｈ」はチャンネル、「シーク」は光ヘッド２３のディスク径方向への移動である）に示すように、バッファメモリ３４１，３４２，３４３に蓄積されたデータは、それぞれバッファメモリ３４１，３４２，３４３への転送レートより低いレートで、バッファメモリ３４１，３４２，３４３から読み出され、デコーダ３５１，３５２，３５３でデコードされる。
【００４５】
これによって、チャンネル１，２，３の再生信号ＰＢ１，ＰＢ２，ＰＢ３として、それぞれ曲Ｍ１，Ｍ２，Ｍ３を連続して再生することができる。その再生信号ＰＢ１，ＰＢ２，ＰＢ３は、チャンネル１，２，３の出力音声信号Ａ１，Ａ２，Ａ３としてユーザー端末８１，８２，８３に送信され、ユーザーＵ１，Ｕ２，Ｕ３は、それぞれ曲Ｍ１，Ｍ２，Ｍ３を聴くことができる。
【００４６】
さらに、上述したディスク再生システムでは、ディスク再生装置１０のシステムコントローラ５１は、以下のような処理によって、送受信部４０から音声信号を出力させ、ユーザー端末に送信する。
【００４７】
図６に、この信号出力処理ルーチンの一例を示す。この例の信号出力処理ルーチン１００では、ディスク再生装置１０の起動後、まず、ステップ１０１で、外部機器から、すなわちカーナビゲーション装置６０またはハンズフリーフォン７０から、音声信号の出力要求があるか否かを判断する。
【００４８】
そして、カーナビゲーション装置６０またはハンズフリーフォン７０から音声信号の出力要求があったときには、ステップ１０１からステップ１０２に進んで、音声信号の出力を要求した外部機器が、カーナビゲーション装置６０であるか、ハンズフリーフォン７０であるかを確認する。
【００４９】
さらに、システムコントローラ５１は、ステップ１０３に進んで、その出力要求をした外部機器からの音声信号を、設定されたチャンネルに出力させる。
【００５０】
上記の例は、カーナビゲーション装置６０も、ハンズフリーフォン７０も、チャンネル１に設定されている場合で、ディスク再生装置１０の送受信部４０では、チャンネル１の再生音楽信号に代えて、カーナビゲーション装置６０からの音声信号Ａｃ、またはハンズフリーフォン７０からの音声信号Ａｈが選択されて、チャンネル１の出力音声信号Ａ１として、ユーザー端末８１に送信される。
【００５１】
次に、システムコントローラ５１は、ステップ１０４で、外部機器からの音声信号が終了したか否かを判断し、外部機器からの音声信号が終了したときには、ステップ１０５に進んで、当該チャンネルの出力音声信号として、再生音楽信号を選択して、当該チャンネルのユーザー端末に送信する。
【００５２】
上記の例では、カーナビゲーション装置６０またはハンズフリーフォン７０から音声信号の終了が通知されたときには、ディスク再生装置１０の送受信部４０では、チャンネル１の出力音声信号Ａ１として、チャンネル１の再生音楽信号が選択されて、ユーザー端末８１に送信される。
【００５３】
以上の信号出力処理によって、例えば、図７に示すように、チャンネル１，２，３，４の出力音声信号Ａ１，Ａ２，Ａ３，Ａ４として、それぞれ再生音楽信号が得られている状態で、時点ｔ１でカーナビゲーション装置６０から音声信号の出力要求があった場合、チャンネル１には、カーナビゲーション装置６０からの音声ガイダンスが出力され、その後、時点ｔ２で音声ガイダンスが終了した後、時点ｔ３でハンズフリーフォン７０から音声信号の出力要求があった場合、チャンネル１には、ハンズフリーフォン７０からの呼び出し音が出力され、時点ｔ４で通話が終了するまで受話音声が出力される。
【００５４】
したがって、ユーザーＵ１にとっては、再生されている音楽に邪魔されることなく、カーナビゲーション装置６０からの音声ガイダンスを聴くことができ、ハンズフリーフォン７０からの呼び出し音に応答して相手方と通話することができる。また、他のユーザーＵ２，Ｕ３，Ｕ４にとっては、再生音楽信号が中断されることがなく、継続して音楽を鑑賞することができる。
【００５５】
上記の例では、カーナビゲーション装置６０とハンズフリーフォン７０から同時に音声信号の出力要求があることがある。その場合のために、ユーザーは、上述したように、あらかじめ、カーナビゲーション装置６０とハンズフリーフォン７０との間に優先順位を設定しておく。
【００５６】
この場合には、図６では省略したが、システムコントローラ５１は、カーナビゲーション装置６０とハンズフリーフォン７０から同時に音声信号の出力要求があったとき、優先順位の高い方の機器からの要求に応答して、その機器からの音声信号を送受信部４０から出力させるように、ディスク再生装置１０を構成する。
【００５７】
〔ディスク再生システムおよびディスク再生装置の他の例：図８〕
上述した例は、車載用の音楽再生システムの場合であるが、この発明のディスク再生システムは、家庭用の映像再生システムなどとして構成することもでき、その場合にも、この発明の信号出力方法を適用することができる。
【００５８】
図８に、その場合の例を示す。この例では、住居のリビングルームＲ１に、ディスク再生装置１０が設置される。ディスク再生装置１０にロードされる光ディスクは、映画の各シーンや連続ドラマの各ストーリー部分などの、多数の映像タイトルの映像音声データが記録されたものである。
【００５９】
ディスク再生装置１０にはユーザー端末８１が接続され、ユーザー端末８１にはディスプレイ９８が接続され、リビングルームＲ１に居るユーザーＵ１は、チャンネル１として、ディスク再生装置１０にロードされた光ディスクに記録されている映像を鑑賞することができる。
【００６０】
他の部屋Ｒ２，Ｒ３，Ｒ４には、それぞれユーザー端末８２，８３，８４が設置され、ユーザー端末８２，８３，８４には、それぞれディスプレイ９８が接続され、ユーザー端末８２，８３，８４とディスク再生装置１０との間の無線または有線の通信によって、ユーザー端末８２，８３，８４からディスク再生装置１０に、それぞれチャンネル２，３，４のコマンドが送信され、ディスク再生装置１０からユーザー端末８２，８３，８４に、それぞれチャンネル２，３，４の再生信号が送信される。
【００６１】
したがって、他の部屋Ｒ２，Ｒ３，Ｒ４に居るユーザーＵ２，Ｕ３，Ｕ４は、それぞれ部屋Ｒ２，Ｒ３，Ｒ４で、各自の希望する映像を鑑賞することができる。
【００６２】
さらに、この例では、住居の玄関などに、訪問者などをモニターするカメラ装置１１０が設けられ、これからの映像出力要求および撮影映像信号が、ディスク再生装置１０に送信される。
【００６３】
そして、ディスク再生装置１０のシステムコントローラは、訪問者などがあって、そのことがカメラ装置１１０で検出され、カメラ装置１１０から映像出力要求があったときには、チャンネル１の映像出力信号を、光ディスクから再生された映像信号から、カメラ装置１１０による撮影によってカメラ装置１１０から出力された映像信号に切り換える。
【００６４】
これによって、訪問者などがある場合、リビングルームＲ１で映像を鑑賞しているユーザーＵ１は、訪問者などがあることを確実に知ることができ、他の部屋Ｒ２，Ｒ３，Ｒ４で映像を鑑賞しているユーザーＵ２，Ｕ３，Ｕ４は、再生映像信号の中断によって映像の鑑賞が妨げられることがない。
【００６５】
なお、この例では、カメラ装置１１０からの映像信号の振り分け先が、例えば、昼間はチャンネル１（リビングルームＲ１）に、夜間はチャンネル２（部屋Ｒ２）に、というように、時間帯によって自動的に変更されるように、ディスク再生システムを構成することもできる。もちろん、ユーザーの設定操作によって、その都度、振り分け先のチャンネルを変更できるように、ディスク再生装置１０を構成することもできる。
【００６６】
〔他の実施形態〕
車載用の音楽再生システムについての上述した例は、カーナビゲーション装置６０からの音声信号Ａｃ、およびハンズフリーフォン７０からの音声信号Ａｈを、ディスク再生装置１０の送受信部４０からユーザー端末８１に送信して、カーナビゲーション装置６０からの音声ガイダンス、およびハンズフリーフォン７０からの呼び出し音や受話音声を、ユーザー端末８１に接続されたスピーカ９６Ｌおよび９６Ｒから出力する場合であるが、カーナビゲーション装置６０からの音声ガイダンスは、カーナビゲーション装置６０に設けられるスピーカから出力し、ハンズフリーフォン７０からの呼び出し音や受話音声は、ハンズフリーフォン７０に設けられるスピーカから出力するように、システム全体を構成してもよい。
【００６７】
この場合、カーナビゲーション装置６０またはハンズフリーフォン７０から音声信号が出力される期間では、設定されたチャンネル（上記の例ではチャンネル１）の再生音楽信号がミューティングされ、または減衰するように、音楽再生システム（ディスク再生システム）を構成する。
【００６８】
なお、音楽データや映像データなどのデータが記録されたディスク媒体は、光ディスクに限らず、磁気ディスクや光磁気ディスクなどでもよい。
【図面の簡単な説明】
【００６９】
【図１】この発明のディスク再生システムの一例の使用状態を示す図である。
【図２】この発明のディスク再生装置の一例を示す図である。
【図３】この発明のディスク再生システムの一例を示す図である。
【図４】マルチアクセスのアクセス動作を示す図である。
【図５】マルチアクセスのデータ再生を示す図である。
【図６】信号出力処理ルーチンの一例を示す図である。
【図７】信号出力方法の説明に供する図である。
【図８】この発明のディスク再生システムの他の例の使用状態を示す図である。
【符号の説明】
【００７０】
主要部については図中に全て記述したので、ここでは省略する。
【図１】
2005259187.tif 000003
【図２】
2005259187.tif 000004
【図３】
2005259187.tif 000005
【図４】
2005259187.tif 000006
【図５】
2005259187.tif 000007
【図６】
2005259187.tif 000008
【図７】
2005259187.tif 000009
【図８】
2005259187.tif 000010